(57)【要約】【課題】  音響構造体を音響空間に設置しても外部の光を音響空間内へ十分に採り込み音響空間内の人に十分な開放感を与えることができる一方、音響空間内の様子を秘匿にしたい場合には、音響空間外から音響空間内を視認することができないようにすることも可能な技術的手段を提供する。【解決手段】  光透過率の大きい上板１１、中板１３および上仕切り板１４によりパイプ２１が複数個形成される。また、光透過率の大きい下板１２および中板１３と光透過率の小さい下仕切り板１５によりパイプ２３が複数個形成される。音響空間内へ採り込む光の量を多くする場合、上仕切り板１４および上板１１をたたんで上板１１を壁面に固定し、音響空間内へ採り込む光の量を少なくする場合、下仕切り板１５および下板１２をたたんで下板１２を壁面に固定する。【選択図】図１
2015178717.tif 000002
【特許請求の範囲】
【請求項１】
内包する空洞を外部に連通させる開口部を備えており、当該開口部が同一方向になるようにして長手方向に垂直な方向に並んだ複数の音響管を有し、
前記複数の音響管を透過する光の量を可変にしたことを特徴とする音響構造体。
【請求項２】
光透過率が大きい光透過部と、
前記光透過部よりも光透過率が小さい板状の遮光部と、を有し、
前記遮光部には、前記複数の音響管の長手方向に平行な回転軸が長手方向に沿って設けられており、
前記遮光部を前記光透過部に対して回転可能にしたことを特徴とする請求項１に記載の音響構造体。
【請求項３】
上板と、
前記上板に平行な下板と、
前記上板および前記下板に平行であり、前記上板と前記下板の間に配置される中板と、
前記上板と前記中板との間に所定の間隔をあけて配置され、前記上板および前記中板とともに複数の音響管を形成する複数の上仕切り板と、
前記下板と前記中板との間に所定の間隔をあけて配置される複数の下仕切り板と、を有し、
前記上板、前記下板、前記中板および前記複数の上仕切り板は、前記光透過部であり、
前記複数の下仕切り板は、前記遮光部であり、
前記下板、前記中板および前記複数の下仕切り板により複数の音響管を形成する一方、前記複数の下仕切り板の回転によって前記複数の下仕切り板が前記中板に平行になるように前記複数の下仕切り板をたためるようにしたことを特徴とする請求項２に記載の音響構造体。
【請求項４】
前記複数の音響管は前記光透過部であり、
前記複数の音響管内に前記遮光部を設けたことを特徴とする請求項２に記載の音響構造体。
【請求項５】
光透過率が大きい前記複数の音響管を有する本体と、
前記本体よりも光透過率が小さい遮光部と、を有し、
前記遮光部を前記本体に着脱自在に保持する遮光部保持手段を前記本体または前記遮光部に設けたことを特徴とする請求項１に記載の音響構造体。
【発明の詳細な説明】
【技術分野】
【０００１】
この発明は、音響空間における音響障害を防止し、音響空間内の音響を聴き心地の良い音響に調音する音響構造体に関する。
【背景技術】
【０００２】
音響管を長手方向に垂直な方向に複数並べた音響構造体がある。この音響構造体の複数の音響管の各々には、当該音響管が内包する空洞を外部に連通させる開口部が設けられている。そして、複数の音響管は、各々の開口部が同一方向になるように並べられている。この種の音響構造体は、例えば、特許文献１に開示されている。この音響構造体は、音響空間（例えば会議室）の壁面などに取り付けられ、音響空間内の音響を聴き心地の良い音響に調音する。
【先行技術文献】
【特許文献】
【０００３】
【特許文献１】特開２０１０−８４５０９号公報
【発明の概要】
【発明が解決しようとする課題】
【０００４】
ところで、透明なガラスの壁や透明なガラスのパーティションで仕切った会議室がある。このような会議室には、外部の光を会議室内に採り込んで会議室内を明るくすることができるという利点がある。また、会議室内の人が会議室外を視認可能となるため、会議室内の人に開放感を与えることができるという利点もある。一方、会議室外から会議室内を視認されないようにしたい場合もある。この場合、透明なガラスの壁や透明なガラスのパーティションをカーテンなどで覆い隠して会議室内の様子を秘匿にする。
【０００５】
このような会議室に音響構造体を設置する場合、透明なガラスの壁や透明なガラスのパーティションのガラス面に音響構造体を取り付けることも考えられる。ガラス面に音響構造体を取り付けると、音響構造体によりガラス面を覆い隠すことになるため会議室内の様子を秘匿にすることができる。しかし、この場合、ガラス面を介して入射される外部からの光を音響構造体により遮光してしまうため、会議室内を十分に明るくすることができない。また、音響構造体によりガラス面を覆い隠すことになるため、会議室内の人は、会議室外を視認し難く、十分な開放感を得ることができない。従って、ガラス面に音響構造体を取り付けると、会議室を透明なガラスの壁や透明なガラスのパーティションで仕切った利点が十分に生かされないようになる。
【０００６】
この発明は以上のような事情に鑑みてなされたものであり、音響構造体を音響空間に設置しても外部の光を音響空間内へ十分に採り込み音響空間内の人に十分な開放感を与えることができる一方、音響空間内の様子を秘匿にしたい場合には、音響空間外から音響空間内を視認することができないようにすることも可能な技術的手段を提供することを目的としている。
【課題を解決するための手段】
【０００７】
この発明は、内包する空洞を外部に連通させる開口部を備えており、当該開口部が同一方向になるようにして長手方向に垂直な方向に並んだ複数の音響管を有し、前記複数の音響管を透過する光の量を可変にしたことを特徴とする音響構造体を提供する。
【０００８】
この発明によれば、本音響構造体を音響空間に設置すると、音響空間外から音響管を介して音響空間内に入射する光の量を変えることができる。従って、音響管を透過する光の量が多くなるようにすれば、外部の光を音響空間内へ十分に採り込み音響空間内の人に十分な開放感を与えることができ、音響管を透過する光の量が少なくなるようにすれば、音響空間外から音響空間内を視認することができないようにすることも可能である。
【図面の簡単な説明】
【０００９】
【図１】この発明の第１実施形態である音響構造体１の構成を示す正面図および断面図である。
【図２】同音響構造体１の上仕切り板１４を中板１３に対して平行な状態に保持させたときの同音響構造体１の断面図である。
【図３】同音響構造体１の下仕切り板１５を中板１３に対して平行な状態に保持させたときの同音響構造体１の断面図である。
【図４】この発明の第２実施形態である音響構造体１Ａの構成を示す正面図、側面図および断面図である。
【図５】同音響構造体１Ａのフリップ４１Ａがパイプ３１Ａの並列方向に垂直であり、かつ、パイプ３１Ａの長手方向に垂直な状態で保持されたときの音響構造体１Ａの構成を示す正面図、側面図および断面図である。
【図６】この発明の第３実施形態である音響構造体１Ｂの構成を示す正面図、側面図および断面図である。
【図７】同音響構造体１Ｂのフリップ４１Ｂがパイプ３１Ａの並列方向に垂直であり、かつ、パイプ３１Ａの長手方向に垂直な状態で保持されたときの音響構造体１Ｂの構成を示す正面図、側面図および断面図である。
【図８】この発明の第４実施形態である音響構造体１Ｃの構成を示す正面図、側面図および断面図である。
【図９】この発明の第５実施形態である音響構造体１Ｄの構成を示す正面図、側面図および断面図である。
【発明を実施するための形態】
【００１０】
以下、図面を参照し、この発明の実施形態について説明する。
＜第１実施形態＞
図１（Ａ）は、この発明の第１実施形態による音響構造体１の構成を示す正面図であり、図１（Ｂ）は、同音響構造体１のＡ−Ａ´線断面図である。図１（Ａ）および（Ｂ）は、音響構造体１を正面から見たときの音響構造体１の左右部分を省略したものである。音響構造体１は、上板１１、下板１２、中板１３、上仕切り板１４、下仕切り板１５、側板１６および側板１７から構成されている。
【００１１】
上板１１、下板１２および中板１３は、同じ形状（例えば、長方形）の板である。上板１１と下板１２との間に中板１３が配置されており、上板１１、下板１２および中板１３は、それぞれ平行に配置されている。上板１１と中板１３との間には、複数の上仕切り板１４が設けられている。上仕切り板１４は、長方形の板である。上仕切り板１４の各々は、所定の間隔をあけて平行に配置されており、上板１１および中板１３に垂直に配置されている。上板１１、中板１３および隣り合う上仕切り板１４により空洞２２を内包する角筒状のパイプ（すなわち音響管）２１が複数個形成される。パイプ２１の長手方向の両端には、側板１６が配置されている。
【００１２】
同様に、下板１２と中板１３との間には、複数の下仕切り板１５が設けられている。下仕切り板１５も、長方形の板である。下仕切り板１５の各々は、所定の間隔をあけて平行に配置されており、下板１２および中板１３に垂直に配置されている。下板１２、中板１３および隣り合う下仕切り板１５により空洞２４を内包する角筒状のパイプ（すなわち音響管）２３が複数個形成される。パイプ２３の長手方向の両端には、側板１７が配置されている。パイプ２１の個数とパイプ２３の個数は、同じであっても良いし、異なっていても良い。
【００１３】
上板１１、中板１３および隣り合う上仕切り板１４により形成されるパイプ２１の長手方向に垂直な面で当該パイプ２１を切断したときの空洞２２の形状は略正方形となっている。同様に、下板１１、中板１３および隣り合う下仕切り板１４により形成されるパイプ２３の長手方向に垂直な面で当該パイプ２３を切断したときの空洞２４の形状も略正方形となっている。空洞２２の寸法と空洞２４の寸法は、同じであっても良いし、異なっていても良い。
【００１４】
上板１１、下板１２、中板１３および上仕切り板１４の光透過率は大きくなっている。具体的には、これら上板１１等は、表面（または裏面）に入射される光の量に対する裏面（または表面）から放射される光の量の割合が大きいものである。より具体的には、これら上板１１等は、例えば、アクリル樹脂などの透明な合成樹脂を成形してなるものである。また、これら上板１１等は、少なくとも可視光に対するす光透過率が大きいものであることが好ましい。これら上板１１等を介して音響空間内の人に音響空間外を視認させて、音響空間内の人に開放感を与えることを可能にするためである。
【００１５】
一方、下仕切り板１５の光透過率は小さくなっている。具体的には、下仕切り板１５は、表面（または裏面）に入射される光の量に対する裏面（または表面）から放射される光の量の割合が小さいものである。より具体的には、下仕切り板１５は、例えば、着色された合成樹脂を成形してなるものである。下仕切り板１５の色は、例えば、壁面の色と同様の色（例えば、アイボリーなど）である。なお、下仕切り板１５の色は、これに限られない。また、下仕切り板１５は、少なくとも可視光に対する光透過率が小さいものであることが好ましい。下仕切り板１５によって音響空間外から音響空間内を視認することができないようにするためである。
【００１６】
上板１１には、その表裏を貫通する開口部２５が複数個設けられている。その開口部２５は、１のパイプ２１に対して１の開口部２５が備えられるように設けられている。開口部２５は、パイプ２１が内包する空洞２２を外部に連通させる。これにより、パイプ２１には、開口部２５を開口端とし一方の側板１６を閉口端とする共鳴管と、開口部２５を開口端とし他方の側板１６を閉口端とする共鳴管とが形成される。パイプ２１の長手方向における開口部２５の位置は、各パイプ２１で異なっていても良いし同じであっても良い。
【００１７】
同様に、下板１２には、その表裏を貫通する開口部２６が複数個設けられている。その開口部２６は、１のパイプ２３に対して１の開口部２６が備えられるように設けられている。開口部２６は、パイプ２３が内包する空洞２４を外部に連通させる。これにより、パイプ２３には、開口部２６を開口端とし一方の側板１７を閉口端とする共鳴管と、開口部２６を開口端とし他方の側板１７を閉口端とする共鳴管とが形成される。パイプ２３の長手方向における開口部２６の位置は、各パイプ２３で異なっていても良いし同じであっても良い。また、開口部２５と開口部２６とは、中板１３に対して対称に設けられている。なお、開口部２５の位置と開口部２６の位置とは、関係があっても良いし、なくても良い。
【００１８】
上仕切り板１４の中板１３側の端部には、中板１３に連結されている可動部が設けられている（図示略）。この上仕切り板１４の可動部は、上仕切り板１４の長手方向に平行な回転軸であって、パイプ２１の長手方向に平行な回転軸を形成し、上仕切り板１４を中板１３方向に回転移動させるための部材である。上仕切り板１４の可動部は、例えば、ゴムなどの弾性部材で形成されており、伸縮可能である。上仕切り板１４の可動部が伸縮していない状態のとき、上仕切り板１４は、中板１３に対して垂直な状態に保持される。また、上仕切り板１４の可動部を伸縮させて上仕切り板１４を中板１３方向に回転させることにより、上仕切り板１４を中板１３に対して平行な状態に保持させることができる。図２は、上仕切り板１４を中板１３に対して平行な状態に保持させたときの図１（Ａ）のＡ−Ａ´線断面図である。この場合、図２に示すように、上仕切り板１４が中板１３に隣接するため空洞２２は埋まる。また、この場合、上板１１は、上仕切り板１４の板面で保持される。すなわち、音響構造体１では、上仕切り板１４を倒して上仕切り板１４および上板１１をたたむことが可能である。
【００１９】
同様に、下仕切り板１５の中板１３側の端部には、中板１３に連結されている可動部が設けられている（図示略）。この下仕切り板１５の可動部は、下仕切り板１５の長手方向に平行な回転軸であって、パイプ２３の長手方向に平行な回転軸を形成し、下仕切り板１５を中板１３方向に回転移動させるための部材である。下仕切り板１５の可動部も、上仕切り板１４の可動部と同様に、例えば、ゴムなどの弾性部材で形成されており、伸縮可能である。下仕切り板１５の可動部が伸縮していいない状態のとき、下仕切り板１５は、中板１３に対して垂直な状態に保持される。また、下仕切り板１５の可動部を伸縮させて下仕切り板１５を中板１３方向に回転させることにより、下仕切り板１５を中板１３に対して平行な状態に保持させることができる。図３は、下仕切り板１５を中板１３に対して平行な状態に保持させたときの図１（Ａ）のＡ−Ａ´線断面図である。この場合、図３に示すように、下仕切り板１５が中板１３に隣接するため空洞２４は埋まる。また、この場合、下板１２は、下仕切り板１５の板面で保持される。すなわち、音響構造体１では、下仕切り板１５を倒して下仕切り板１５および下板１２をたたむことが可能である。
【００２０】
なお、上仕切り板１４の可動部および下仕切り板１５の可動部は、弾性部材で形成されるものに限られない。上仕切り板１４の可動部および下仕切り板１５の可動部は、少なくとも、パイプ２１および２３を形成する一方、上仕切り板１４および下仕切り板１５を中板１３に平行になるようにたたむことを可能にするものであれば良い。また、上仕切り板１４全体または下仕切り板１５全体が弾性部材により形成されないことが好ましい。上仕切り板１４全体および下仕切り板１５全体が弾性部材により形成されると、パイプ２１および２３における管壁の曲げ剛性が小さくなる。これにより、共鳴周波数に対応する音を適切にパイプ２１および２３内に留めることができなくなり、開口部２５および２６近傍での散乱効果および吸音効果が減少するからである。
以上が、音響構造体１の構成である。
【００２１】
次に、音響構造体１の使用態様を説明する。
ユーザは、音響構造体１を、例えば、透明なガラスのパーティションで仕切られた会議室（すなわち音響空間）の当該パーティションのガラス面に設置する。音響構造体１を設置するとき、ユーザは、パーティションのガラス面および音響構造体１を介して会議室外から会議室内に入射される光の量をどのようにしたいかによって、音響構造体１の設置態様を変える。より詳細に説明する。会議室外から会議室内に入射される光の量を多くしたい場合、ユーザは、上仕切り板１４を中板１３に対して平行になるように回転させて倒し、上仕切り板１４および上板１１をたたむ（図２参照）。そして、上板１１の表面（外側面）をパーティションのガラス面に固定する。なお、ガラス面への固定は、例えば、接着剤や両面粘着テープなどにより行えば良い。この場合、下仕切り板１５は中板１３に対して垂直にし、パイプ２３を形成させておく。このように音響構造体１を設置すると、会議室外からパーティションのガラス面を介して上板１１に入射される光は、上板１１、上仕切り板１４および中板１３をそれぞれ透過する。それらを透過した光は、空洞２４を進行し、下板１２を透過して会議室内に放射される。すなわち、会議室外からガラス面を介して音響構造体１に入射された光は、音響構造体１によって妨げられることなく会議室内に放射される。
【００２２】
また、上板１１をガラス面に固定した場合、下板１２の開口部２６が会議室内に面する。この場合、会議室内から音響構造体１に向かって放射される音は、開口部２６近傍で散乱および吸音される。これにより、会議室内の音響が聴き心地の良い音響に調音される。
【００２３】
一方、会議室外から会議室内に入射される光の量を少なくしたい場合、ユーザは、下仕切り板１５を中板１３に対して平行になるように回転させて倒し、下仕切り板１５および下板１２をたたむ（図３参照）。そして、下板１２の表面（外側面）をパーティションのガラス面に固定する。この場合、上仕切り板１４は中板１３に対して垂直にし、パイプ２１を形成させておく。このように音響構造体１を設置すると、会議室外からパーティションのガラス面を介して下板１２に入射される光は、下板１２を透過して下仕切り板１５に進行する。光透過率の低い下仕切り板１５が下板１２および中板１３に平行に横たわっているため（すなわち、光が入射される方向に対して垂直な方向に横たわっているため）、下仕切り板１５に進行した光の多くは、パーティションのガラス面方向に反射する。このため、このように音響構造体１を設置した場合、会議室外から会議室内に入射される光の量は、下仕切り板１５を中板１３に対して垂直にした場合に比べ少なくなる。また、音響構造体１（具体的には下仕切り板１５）を透過する光の量が少ないため、音響構造体１を介して会議室外から会議室内を視認することも困難となる。
【００２４】
また、下板１２をガラス面に固定した場合、上板１１の開口部２５が会議室内に面する。この場合、会議室内から音響構造体１に向かって放射される音は、開口部２５近傍で散乱および吸音される。これにより、会議室内の音響が聴き心地の良い音響に調音される。
【００２５】
このように、本実施形態による音響構造体１では、上仕切り板１４および上板１１をたたむことにより、複数のパイプ２３の並列方向に垂直であり、かつ、複数のパイプ２３の長手方向に垂直な方向から到来して複数のパイプ２３を透過する光の量を多くすることができる一方、下仕切り板１４および下板１２をたたむことにより、複数のパイプ２１の並列方向に垂直であり、かつ、複数のパイプ２１の長手方向に垂直な方向から到来して複数のパイプ２１を透過する光の量を少なくすることができる。すなわち、複数の音響管の並列方向に垂直であり、かつ、複数の音響管の長手方向に垂直な方向から到来して複数の音響管を透過する光の量（換言すると音響構造体１の光透過率）は、可変である。より詳細には、音響構造体１では、複数のパイプ２１および２３の側面（より具体的には、複数の音響管の並列方向に垂直な方向であり、かつ、複数の音響管の長手方向に垂直な方向を法線とする投影面）における光透過率の大きい部分の射影に対する光透過率の小さい部分の射影の割合は、当該光透過率の大きい部分に対する当該光透過率の小さい部分の回転によって可変となっている。このため、複数の音響管の並列方向が音響空間の壁面に平行になるように本音響構造体を音響空間に設置すると、音響空間外から本音響構造体を介して音響空間内に入射する光の量を変えることができる。また、音響構造体１は、下仕切り板を中板に対して垂直にして光透過率の大きい部分の射影に対する光透過率の小さい部分の射影の割合を小さくした場合と、下仕切り板を中板に対して平行にして光透過率の大きい部分の射影に対する光透過率の小さい部分の射影の割合を大きくした場合のいずれにおいても、従来の音響構造体と同様に、音響空間内の音響を聴き心地の良い音響に調音する。すなわち、本実施形態による音響構造体１では、調音効果に影響を与えることなく、音響構造体１を透過する光の量を変更することが可能である。従って、本音響構造体によれば、調音効果に影響を与えることなく、外部の光を音響空間内へ十分に採り込み音響空間内の人に十分な開放感を与えることができる一方、音響空間内の様子を秘匿にしたい場合には、音響空間外から音響空間内を視認することができないようにすることも可能である。
【００２６】
＜第２実施形態＞
図４（Ａ）は、この発明の第２実施形態による音響構造体１Ａを示す正面図である。図４（Ｂ）は、図４（Ａ）の正面図における下方向から音響構造体１Ａを見た時の音響構造体１Ａの構成を示す側面図である。図４（Ｃ）は、音響構造体１ＡのＢ−Ｂ´線断面図である。
【００２７】
音響構造体１Ａは、複数（図４では５個）の角筒状のパイプ３１Ａを並列に並べて結合し、パネル状にしたものである。パイプ３１Ａの各々は、空洞３２Ａを内包している。パイプ３１Ａの長手方向に垂直な面でパイプ３１Ａを切断したときの切断面における空洞３２Ａの形状は、略正方形となっている。パイプ３１Ａの長手方向の一端は側板３３Ａにより塞がれており、他端は側板３４Ａにより塞がれている。なお、音響構造体１Ａを構成するパイプの個数は５個に限られない。
【００２８】
パイプ３１Ａの正面側には、開口部３５Ａがそれぞれ設けられている。開口部３５Ａは、空洞３２Ａをパイプ３１Ａの外側の空間（すなわち音響空間）に連通させている。これにより、パイプ３１Ａには、開口部３５Ａを開口端とし側板３３Ａを閉口端とする共鳴管と、開口部３５Ａを開口端とし側板３４Ａを閉口端とする共鳴管とが形成される。パイプ３１Ａの長手方向における開口部３５Ａの位置は、各パイプ３１Ａで異なっていても良いし同じであっても良い。
【００２９】
パイプ３１Ａ内には、フリップ４１Ａがそれぞれ設けられている。フリップ４１Ａは、長方形の板状部材である。フリップ４１Ａの長手方向は、パイプ３１Ａの長手方向に重なっている。フリップ４１Ａの長手方向の長さは、側板３３Ａの内側面と側板３４Ａの内側面との間の距離よりも若干短くなっている。また、フリップ４１Ａの長手方向に垂直な切断面は、略長方形となっている。当該切断面におけるフリップ４１Ａの長辺の寸法は、パイプ３１Ａにおける対向する内側面間の距離よりも若干短くなっている。
【００３０】
フリップ４１Ａの長手方向の一端には円柱形状の軸部４３Ａが設けられており、他端には円柱形状の軸部４４Ａが設けられている。軸部４３Ａおよび４４Ａは、フリップ４１Ａの長手方向に垂直な面の一方の短辺近傍の位置に設けられている。
【００３１】
側板３３Ａの内側面には、軸部４３Ａを収容する溝が設けられている（図示略）。側板３３Ａの溝は、パイプ３１Ａに囲まれた領域内における開口部３５Ａが設けられている面に対向する面側の一方の角近傍の位置に設けられている。図４の例では、開口部３５Ａが設けられている面を上にして側板３３Ａの内側面を見たとき、側板３３Ａの溝は、パイプ３１Ａに囲まれた領域内の右下の角近傍の位置に設けられている。
【００３２】
側板３４Ａには、軸部４４Ａを挿通する貫通孔が設けられている（図示略）。側板３４Ａの貫通孔は、側板３３Ａの溝と同様の位置に設けられている。図４の例では、開口部３５Ａが設けられている面を上にして側板３４Ａの外側面を見たとき、側板３４Ａの貫通孔は、パイプ３１Ａに囲まれた領域の右下の角近傍の位置に設けられている。側板３３Ａの溝に軸部４３Ａが収容されるとともに側板３４Ａの貫通孔に軸部４４Ａが挿通されるため、フリップ４１Ａは、軸部４３Ａおよび軸部４４Ａを回転軸としてパイプ３１Ａ内において回動自在に保持される。なお、以後、フリップ４１Ａがパイプ３１Ａの並列方向に平行な状態で保持されたときのフリップ４１Ａにおける開口部３５Ａ側の面をフリップ４１Ａの表面と呼び、当該表面の反対側の面をフリップ４１Ａの裏面と呼ぶ。
【００３３】
貫通孔を介して外側空間に突出した軸部４４Ａの先端には、棒状のレバー４５Ａが固定されている。軸部４４Ａの先端は、レバー４５Ａの長手方向の一方の端近傍の側面の位置に固定されている。レバー４５Ａは、その長手方向が、フリップ４１Ａの長手方向に垂直な切断面における長辺方向に平行となるような姿勢で固定される。このため、レバー４５Ａは、軸部４４Ａを回転軸として、回動自在である。そして、レバー４５Ａの回転に伴って、フリップ４１Ａも回転する。
【００３４】
パイプ３１Ａの光透過率は、大きくなっている。具体的には、パイプ３１Ａは、第１実施形態における上板１１等と同様に、例えば、アクリル樹脂などの透明な合成樹脂を成形してなるものである。一方、フリップ４１Ａの光透過率は、小さくなっている。具体的には、フリップ４１Ａは、第１実施形態における下仕切り板１５と同様に、例えば、着色した合成樹脂を成形してなるものである。
【００３５】
本実施形態による音響構造体１Ａは、第１実施形態と同様に、透明なガラスのパーティションで仕切られた会議室における当該パーティションのガラス面などに設置される。このとき、ユーザは、開口部３５Ａを会議室内（音響空間内）に向けた状態にして音響構造体１Ａの背面部分（開口部３１Ａが設けられている正面部分に対向する部分）をガラス面に固定する。まず、フリップ４１Ａが、パイプ３１Ａの並列方向に平行な状態で保持された場合（図４参照）を説明する。会議室外からパーティションのガラス面を介して音響構造体１Ａの背面部分に光が入射すると、その入射した光は、音響構造体１Ａの背面部分を透過する。パイプ３１Ａの並列方向にフリップ４１Ａが横たわっているため、音響構造体１Ａの背面部分を透過した光は、フリップ４１Ａの裏面に進行する。フリップ４１Ａの光透過率は低いため、フリップ４１Ａの裏面に進行した光の多くは、パーティションのガラス面方向に反射する。従って、この場合、フリップ４１Ａを透過し、音響構造体１Ａの正面部分を透過して会議室内に放射される光の量は、音響構造体１Ａに入射される光の量に対して少なくなる。また、この場合、音響構造体１Ａ（具体的にはフリップ４１Ａ）を透過する光の量が少ないため、音響構造体１Ａを介して会議室外から会議室内を視認することも困難となる。
【００３６】
フリップ４１Ａがパイプ３１Ａの並列方向に平行になっている状態において、ユーザが、レバー４５Ａを側板３４Ａの外側面を見たときの時計回り方向に約９０度回転させると、フリップ４１Ａは、パイプ３１Ａの並列方向に垂直であり、かつ、パイプ３１Ａの長手方向に垂直な状態で保持される。図５（Ａ）は、このときの音響構造体１Ａの構成を示す正面図である。図５（Ｂ）は、図５（Ａ）の正面図における下方向から音響構造体１Ａを見た時の音響構造体１Ａの構成を示す側面図である。図５（Ｃ）は、音響構造体１ＡのＣ−Ｃ´線断面図である。この場合、パイプ３１Ａの並列方向にフリップ４１Ａが横たわっていないため、音響構造体１Ａの背面部分を透過した光の多くは、フリップ４１Ａに当たらない。そして、音響構造体１Ａの背面部分を透過した光の多くは、空洞３２Ａおよび音響構造体１Ａの正面部分を透過して会議室内に放射される。すなわち、この場合、会議室外からガラス面を介して音響構造体１Ａに入射された光は、音響構造体１Ａによって妨げられることなく会議室内に放射される。
【００３７】
また、フリップ４１Ａがパイプ３１Ａの並列方向に垂直であり、かつ、パイプ３１Ａの長手方向に垂直になっている状態において、ユーザは、レバー４５Ａを側板３４Ａの外側面を見た時の反時計回り方向に約９０度回転させることにより、フリップ４１Ａをパイプ３１Ａの並列方向に平行な状態に戻すことができる。また、ユーザは、レバー４５Ａの回転角度を調整することで、パイプ３１Ａの並列方向に平行な状態と、パイプ３１Ａの並列方向に垂直であり、かつ、パイプ３１Ａの長手方向に垂直な状態との間の状態で、フリップ４１Ａを保持させることができる。
【００３８】
このように、本実施形態による音響構造体１Ａは、パイプ３１Ａの光透過率よりも光透過率の低い板状のフリップ４１Ａを有している。そして、複数のパイプ３１Ａの側面（より具体的には、パイプ３１Ａの並列方向に垂直な方向であり、かつ、パイプ３１Ａの長手方向に垂直な方向を法線とする投影面）における光透過率の大きい部分の射影に対する光透過率の小さい部分の射影の割合は、パイプ３１Ａに対するフリップ４１Ａの回転によって可変となっている。また、音響構造体１Ａは、フリップ４１Ａをパイプ３１Ａの並列方向に平行な状態で保持して光透過率の大きい部分の射影に対する光透過率の小さい部分の射影の割合を大きくした場合と、フリップ４１Ａをパイプ３１Ａの並列方向に垂直な状態で保持して光透過率の大きい部分の射影に対する光透過率の小さい部分の射影の割合を小さくした場合のいずれにおいても、音響空間から音響構造体１Ａに向かって放射される音を音響構造体１Ａの開口部３５Ａ近傍で散乱および吸音して音響空間内の音響を聴き心地の良い音響に調音する。このため、本実施形態においても、第１実施形態と同様の効果が得られる。また、本実施形態による音響構造体１Ａでは、音響構造体１Ａを透過する光の量を調整する際に、音響構造体１Ａをガラス面に固定し直す必要はない。
【００３９】
＜第３実施形態＞
この発明の第３実施形態による音響構造体１Ｂは、第２実施形態による音響構造体１Ａを変形したものである。図６（Ａ）は、本実施形態による音響構造体１Ｂを示す正面図である。図６（Ｂ）は、図６（Ａ）の正面図における下方向から音響構造体１Ｂを見た時の音響構造体１Ｂの構成を示す側面図である。図６（Ｃ）は、音響構造体１ＢのＤ−Ｄ´線断面図である。本実施形態による音響構造体１Ｂは、側板３３Ａに代えて側板３３Ｂを設け、側板３４Ａに代えて側板３４Ｂを設け、フリップ４１Ａに代えてフリップ４１Ｂを設けた点において第２実施形態による音響構造体１Ａと異なる。
【００４０】
側板３３Ｂは、軸部４３Ａを収容する溝の位置が第２実施形態による側板３３Ａと異なる（図示略）。側板３３Ｂの溝は、パイプ３１Ａに囲まれた領域内における開口部３５Ａが設けられている面側の一方の角近傍の位置に設けられている。図６の例では、開口部３５Ａが設けられている面を上にして側板３３Ｂの内側面を見たとき、側板３３Ｂの溝は、パイプ３１Ａに囲まれた領域内の右上の角近傍の位置に設けられている。
【００４１】
側板３４Ｂは、軸部４４Ａを挿通する貫通孔の位置が第２実施形態による側板３４Ａと異なる。側板３４Ｂの貫通孔は、側板３３Ｂの溝と同様の位置に設けられている。図６の例では、開口部３５Ａが設けられている面を上にして側板３４Ｂの外側面を見たとき、側板３４Ｂの貫通孔は、パイプ３１Ａに囲まれた領域の右上の角近傍の位置に設けられている。
【００４２】
フリップ４１Ｂは、その表裏を貫通する開口部３７Ｂが設けられている点において第２実施形態によるフリップ４１Ａと異なる。フリップ４１Ｂの開口部３７Ｂは、パイプ３１Ａの開口部３５Ａと同様な位置に設けられており、同様な開口形状および開口寸法を有している。より詳細に説明すると、フリップ４１Ｂが開口部３５Ａに対して平行な姿勢になったときに、正面から開口部３５Ａおよび開口部３７Ｂを見ると、開口部３５Ａと開口部３７Ｂとが重複して見える。また、フリップ４１Ｂの開口部３７Ｂは、光透過率の小さな部材であり、かつ、音を容易に通過させる部材で覆われている。具体的には、開口部３７Ｂは、着色した布（例えば、フリップ４１Ｂと同様の色の布）で覆われている。なお、開口部３７Ｂは着色した布などによって覆われていなくても良い。
【００４３】
ユーザは、音響構造体１Ｂを、第２実施形態と同様に設置する。レバー４５Ａがパイプ３１Ａの並列方向に平行になるようにユーザがレバー４５Ａを操作すると、フリップ４１Ｂは、パイプ３１Ａ内における正面部分側においてパイプ３１Ａの並列方向に平行に保持される。この場合、音響構造体１Ｂの背面部分を透過した光は、空洞３２Ａを進行してフリップ４１Ｂの裏面に進行する。フリップ４１Ｂの光透過率は低いため、フリップ４１Ｂの裏面に進行した光の多くは、パーティションのガラス面方向に反射する。従って、この場合、音響構造体１Ｂを介して会議室内に放射される光の量は少なくなる。また、この場合、開口部３５Ａと開口部３７Ｂとが重複しているため、音響空間から音響構造体１Ｂに向かって放射される音は、開口部３５Ａと開口部３７Ｂとにより散乱および吸音される。
【００４４】
フリップ４１Ｂがパイプ３１Ａの並列方向に平行になっている状態において、ユーザが、レバー４５Ａを側板３４Ｂの外側面を見たときの反時計回り方向に約９０度回転させると、フリップ４１Ｂは、パイプ３１Ａの並列方向に垂直であり、かつ、パイプ３１Ａの長手方向に垂直な状態で保持される。図７（Ａ）は、このときの音響構造体１Ｂを示す正面図である。図７（Ｂ）は、図７（Ａ）の正面図における下方向から音響構造体１Ｂを見た時の音響構造体１Ｂの構成を示す側面図である。図７（Ｃ）は、音響構造体１ＢのＥ−Ｅ´線断面図である。このように保持された場合については、第２実施形態と同様である。
【００４５】
本実施形態による音響構造体１Ｂは、パイプ３１Ａの並列方向に平行にフリップ４１Ｂを保持したときにフリップ４１Ｂがパイプ３１Ａ内における正面部分側に位置するように構成した点を除いて、第２実施形態による音響構造体１Ａと同様であるから、本実施形態においても第２実施形態と同様の効果が得られる。
【００４６】
＜第４実施形態＞
この発明の第４実施形態による音響構造体１Ｃは、本体１Ｃ１と遮光板１Ｃ２とから構成される。図８（Ａ）は、本実施形態による本体１Ｃ１の構成を示す正面図である。図８（Ｂ）は、図８（Ａ）の正面図における下方向から本体１Ｃ１を見た時の本体１Ｃ１の構成を示す側面図である。図８（Ｃ）は、図８（Ａ）の正面図における上方向から本体１Ｃ１を見た時の本体１Ｃ１の構成を示す側面図である。図８（Ｄ）は、本体１Ｃ１のＦ−Ｆ´線断面図である。図８（Ｅ）は、音響構造体１Ｃの遮光板１Ｃ２の構成を示す正面図である。図８（Ｆ）は、音響構造体１Ｃの遮光板１Ｃ２の構成を示す側面図である。音響構造体１Ｃは、遮光板１Ｃ２により音響構造体１Ｃを透過する光の量を調整するものである。
【００４７】
本体１Ｃ１は、フリップ４１Ａ、軸部４３Ａ、軸部４４Ａおよびレバー４５Ａを削除し、パイプ３１Ａに代えてパイプ３１Ｃを設け、側板３３Ａに代えて側板３３Ｃを設け、側板３４Ａに代えて側板３４Ｃを設けた点において第２実施形態による音響構造体１Ａと異なる。パイプ３１Ｃは、スリット５１Ｃを設けた点において第２実施形態によるパイプ３１Ａと異なる。側板３３Ｃは、軸部４３Ａを収容する溝を削除した点において側板３３Ａと異なる。側板３４Ｃは、軸部４４Ａを挿通する貫通孔を削除し、さらにスリット５１Ｃの開口部５２Ｃを設けた点において側板３４Ａと異なる。
【００４８】
スリット５１Ｃは、パイプ３１Ｃにおける背面部分（開口部３５Ａが設けられている正面部分に対向する部分）に設けられている。スリット５１Ｃは、パイプ３１Ｃの長手方向に垂直な方向の切断面が長方形の空洞である。スリット５１Ｃは、パイプ３１Ｃの並列方向の一端のパイプ３１Ｃ近傍から他端のパイプ３１Ｃ近傍に亙って設けられている。また、スリット５１Ｃは、パイプ３１Ｃの長手方向の一端近傍から他端近傍に亙って設けられている。スリット５１Ｃは、側板３４Ｃの開口部５２Ｃを介して本体１Ｃ１の外部の空間と連通している。すなわち、スリットは、パイプ３１Ｃの並列方向に延在し一部が外部に連通する隙間である。
【００４９】
遮光板１Ｃ２は、長方形の板状部材である。遮光板１Ｃ２の寸法は、本体１Ｃ１のスリット５１Ｃの寸法よりも若干小さくなっている。遮光板１Ｃ２は、ユーザによってスリット５１Ｃ内に収容される。すなわち、スリット５１Ｃは、遮光板１Ｃ２を本体１Ｃ１に保持するために設けられている。そして、遮光板１Ｃ２は、本体１Ｃ１に対して着脱可能である。また、音響構造体１Ｃでは、光透過率の異なる複数種の遮光板１Ｃ２が用意されている。例えば、半透明な遮光板１Ｃ２と着色された遮光板１Ｃ２とが用意される、という具合である。
【００５０】
本体１Ｃ１の光透過率は、大きくなっている。具体的には、本体１Ｃ１は、第２実施形態におけるパイプ３１Ａと同様に、例えば、アクリル樹脂などの透明な合成樹脂を成形してなるものである。一方、遮光板１Ｃ２の光透過率は、小さくなっている。具体的には、遮光板１Ｃ２は、第２実施形態におけるフリップ４１Ａと同様に、例えば、着色した合成樹脂を成形してなるものである。
【００５１】
ユーザは、音響構造体１Ｃの本体１Ｃ１を、第２実施形態の音響構造体１Ａと同様に、例えば、透明なガラスのパーティションで仕切られた会議室のガラス面に、開口部３５Ａを会議室内に向けた状態で設置する。このとき、開口部５２Ｃがある側板３３Ｃが上方となるように設置する。ユーザは、複数種の遮光板１Ｃ２の中からユーザが選択した１の遮光板１Ｃ２を開口部５２Ｃからスリット５１Ｃ内に挿入する。遮光板１Ｃ２がスリット５１Ｃ内に挿入された状態において、会議室外からガラス面を介して本体１Ｃ１の背面部分に光が入射すると、その入射した光は、本体１Ｃ１の背面部分を透過して遮光板１Ｃ２の裏面に進行する。遮光板１Ｃ２の光透過率は低いため、遮光板１Ｃ２の裏面に進行した光の多くは、パーティションのガラス面方向に反射する。従って、この場合、遮光板１Ｃ２を透過し、本体１Ｃ１の空洞３２Ａおよび正面部分を透過して会議室内に放射される光の量は少なくなる。
【００５２】
一方、会議室内に放射される光の量を多くしたい場合、ユーザは、スリット５１Ｃ内から遮光板１Ｃ２を取り出す。遮光板１Ｃ２をスリット５１Ｃから取り出した状態において、会議室外からガラス面を介して本体１Ｃ１の背面部分に光が入射すると、その入射した光は、本体部１Ｃ１およびスリット５１Ｃを透過する。スリット５１Ｃを透過した光は、さらに空洞３２Ａおよび正面部分を透過して会議室内に放射される。従って、この場合、音響構造体１Ｃ（より正確には本体１Ｃ１）によってほとんど遮光されることなく会議室外の光が会議室内に採り込まれる。
【００５３】
このように、本実施形態による音響構造体１Ｃは、複数のパイプ３１Ｃの側面（より具体的には、パイプ３１Ｃの並列方向に垂直な方向であり、かつ、パイプ３１Ｃの長手方向に垂直な方向を法線とする投影面）における光透過率が大きい部分の射影に対する光透過率が小さい部分の射影の割合を変化させるように遮光板１Ｃ２を本体１Ｃ１に着脱自在に保持するスリットを本体１Ｃ１に設けたものである。また、音響構造体１Ｃは、遮光板１Ｃ２をスリット５１Ｃに収容して光透過率が大きい部分の射影に対する光透過率が小さい部分の射影の割合を大きくした場合と、遮光板１Ｃ２をスリットから取り出して光透過率が大きい部分の射影に対する光透過率が小さい部分の射影の割合を小さくした場合のいずれにおいても、音響空間から音響構造体１Ｃに向かって放射される音を音響構造体１Ｃの開口部３５Ａ近傍で散乱および吸音して音響空間内の音響を聴き心地の良い音響に調音する。音響構造体１Ｃは、遮光板１Ｃ２を本体１Ｃ１対して着脱可能にすることにより音響構造体１Ｃを透過する光の量を調整するようにした点を除いて第２実施形態による音響構造体１Ａと同様であるから、本実施形態においても、第２実施形態と同様の効果が得られる。また、ユーザは、複数種の遮光板１Ｃ２の中から所望の光透過率を有する遮光板１Ｃ２を選択することにより、会議室外の光の採光量をより詳細に調整することができる。
【００５４】
なお、遮光板１Ｃ２または本体１Ｃ１に、本体１Ｃ１に対して遮光板１Ｃ２を着脱しやすくするための機構を設けても良い。例えば、遮光板１Ｃ２に側板３３Ｃの開口部５２Ｃから外部に突出する持ち手部分を設ける、という具合である。また、遮光板１Ｃ２は複数種類用意されていなくても良い。少なくとも１つの遮光板１Ｃ２が用意されていれば、音響構造体１Ｃの光透過率を変えることができるからである。
【００５５】
＜第５実施形態＞
この発明の第５実施形態による音響構造体１Ｄは、第４実施形態による音響構造体１Ｃを変形したものである。本実施形態による音響構造体１Ｄは、本体１Ｃ１に代えて本体１Ｄ１を設け、遮光板１Ｃ２に代えて遮光板１Ｄ２を設けた点において第４実施形態による音響構造体１Ｃと異なる。図９（Ａ）は、本実施形態による本体部１Ｄ１の構成を示す正面図である。図９（Ｂ）は、図９（Ａ）の正面図における下方向から本体１Ｄ１を見た時の本体１Ｄ１の構成を示す側面図である。図９（Ｃ）は、図９（Ａ）の正面図における上方向から本体１Ｄ１を見た時の本体１Ｄ１の構成を示す側面図である。図９（Ｄ）は、本体１Ｄ１のＧ−Ｇ´線断面図である。図９（Ｅ）は、遮光板１Ｄ２の構成を示す正面図である。図９（Ｆ）は、遮光板１Ｄ２の構成を示す側面図である。
【００５６】
本体１Ｄ１は、パイプ３１Ｃに代えてパイプ３１Ｄを設け、側板３３Ｃに代えて側板３３Ｄを設けた点において本体１Ｃ１と異なる。パイプ３１Ｄは、スリット５１Ｃに代えてスリット５１Ｄを設け、開口部３５Ａに代えて開口部３５Ｄを設けた点においてパイプ３１Ｃと異なる。スリット５１Ｄは、パイプ３１Ｄの正面部分に設けられている点においてスリット５１Ｃと異なる。開口部３５Ｄは、スリット５１Ｄを貫通して空洞３２Ａを外部の空間に連通させている点において開口部３５Ａと異なる。側板３３Ｄは、開口部５２Ｃに代えて開口部５２Ｄを設けた点において側板３３Ｃと異なる。開口部５２Ｄは、パイプ３１Ｄの正面側に設けられている点において開口部５２Ｃと異なる。また、スリット５１Ｄは、側板３３Ｄの開口部５２Ｄを介して本体１Ｄ１の外部の空間と連通している。
【００５７】
遮光板１Ｄ２は、その表裏を貫通する開口部５３Ｄが複数個設けられている点において遮光板１Ｃ２と異なる。遮光板１Ｄ２の開口部５３Ｄは、パイプ３１Ｄの開口部３５Ｄと同様な位置に設けられており、同様な開口形状および開口寸法を有している。より詳細に説明すると、遮光板１Ｄ２をスリット５１Ｄに収容した状態において、正面から開口部３５Ｄおよび開口部５３Ｄを見ると、開口部３５Ｄと開口部５３Ｄとが重複して見える。また、開口部５３Ｄは、第３実施形態の開口部３７Ｂと同様に、布などで覆われていても良いし覆われていなくても良い。
【００５８】
音響空間内に透過させる光の量を少なくしたい場合、第４実施形態による音響構造体１Ｃと同様に、ユーザは、複数種の遮光板１Ｄ２の中からユーザが選択した１の遮光板１Ｄ２を開口部５２Ｄからスリット５１Ｄ内に挿入する。このとき、遮光板１Ｄ２の開口部５３Ｄが開口部３５Ｄと重複するような姿勢で遮光板１Ｄ２をスリット２２０Ｄ内に挿入する。一方、音響空間内に透過させる光の量を多くしたい場合、第４実施形態による音響構造体１Ｃと同様に、ユーザは、遮光板１Ｄ２をスリット５１Ｄ内から取り出す。
【００５９】
音響構造体１Ｄは、本体１Ｄ１に対して遮光板１Ｄ２を着脱させる位置が異なる点を除いて、第４実施形態による音響構造体１Ｃと同様であるから、本実施形態においても、第４実施形態と同様の効果が得られる。
【００６０】
＜他の実施形態＞
以上、この発明の第１から第５実施形態について説明したが、この発明には他にも実施形態が考えられる。例えば次の通りである。
【００６１】
（１）上記各実施形態では、光透過率が他の部分と異なる下仕切り板１５やフリップ４１Ａおよび４１Ｂを動かしたり、光透過率が本体１Ｃ１および１Ｄ１と異なる遮光板１Ｃ２および１Ｄ２を本体１Ｃ１および１Ｄ１に取り付けたりすることで、音響構造体１〜１Ｄのパイプ２１、２３および３１Ａ〜３１Ｄの並列方向に垂直な方向であり、かつ、パイプ２１、２３および３１Ａ〜３１Ｄの長手方向に垂直な方向から到来してパイプ２１、２３および３１Ａ〜３１Ｄを透過する光の量を変化させていた。しかし、パイプの並列方向に垂直な方向であり、かつ、パイプの長手方向に垂直な方向から到来してパイプを透過する光の量を変化させる方法（換言すると、音響構造体の光透過率を変化させる方法）はこれらに限られない。例えば、音響構造体の背面部分に液晶パネルを設けても良い。この態様では、その液晶パネルに電圧などを与えて液晶配向を変化させることにより、液晶を透過する光の量を変化させる。また、例えば、音響構造体の背面部分にバブルを発生させる装置を設けても良い。バブルに入射される光の多くは散乱される。このため、この態様では、バブルを発生させる量によりバブル発生装置を透過する光の量を変化させる。
【００６２】
（２）上記第１実施形態では、パイプ２１および２３における長手方向に垂直な面でパイプ２１および２３を切断したときの空洞２２および２４の断面形状が略正方形であった。しかし、空洞の断面形状は、略正方形でなくても良い。例えば、長方形であっても良いし、平行四辺形であっても良い。上仕切り板１４および下仕切り板１５をたたむことにより音響構造体の光透過率を変えることができることに変わりはなく、音響構造体の調音効果に変わりはないからである。
【００６３】
（３）上記第２および第３実施形態による音響構造体１Ａおよび１Ｂでは、ユーザによるレバー４５Ａの操作に応じてフリップ４１Ａおよび４１Ｂを回動させていた。しかし、フリップ４１Ａおよび４１Ｂを回動させる態様は、これに限られない。例えば、フリップにステッピングモータなどの電動機の回転子を連結し、電動機に電力を与えて電動機の回転子を回転させることによりフリップを回動させるようにしても良い。この場合、例えば、ステッピングモータに与えるパルス状の電力のパルス数を制御することにより、フリップの回転角度（姿勢）を制御すれば良い。
【００６４】
（４）上記第２および第３実施形態による音響構造体１Ａおよび１Ｂでは、１のフリップ４１Ａおよび１Ｂに対して１のレバー４５Ａが設けられており、フリップ４１Ａおよび４１Ｂをフリップ４１Ａおよび４１Ｂ毎に独立して回動させることが可能であった。しかし、音響構造体は、フリップをフリップ毎に独立して回動させることが可能なもの限られず、複数のフリップを連動させて回動させることが可能なものであっても良い。この場合、連動させるフリップの組が複数あっても良いし、すべてのフリップを連動させるようにしても良い。また、独立して回動させることが可能なフリップと複数のフリップを連動して回動させることが可能なフリップとを混在させても良い。
【００６５】
（５）上記第４および第５実施形態による音響構造体１Ｃおよび１Ｄでは、遮光板１Ｃ２および１Ｄ２を本体１Ｃ１および１Ｄ１に保持するスリット５１Ｃおよび５１Ｄを有していた。しかし、遮光板を本体に保持する手段はスリットに限られない。例えば、本体の正面部分の外壁に遮光板を引っ掛けて保持するフックを設けても良い。この場合、第５実施形態の遮光板１Ｄ２と同様に遮光板に開口部を設けることで、調音機能を損なうことなく音響構造体を透過する光の量を調整することができる。また、遮光板を保持する手段を遮光板に設けても良い。例えば、遮光板にフックを設けて、そのフックを本体の上側の側板に引っ掛けるという具合である。また、本体に保持されて音響構造体を透過する光の量を調整するための部材は、板状の遮光板に限られない。例えば、音響構造体を透過する光の量を調整するための部材として布などを用いても良い。この態様では、当該布にフックを設けて、本体の正面部分の外壁にそのフックを引っ掛ける溝などを設ければ良い。
【００６６】
（６）上記第１実施形態の複数の下仕切り板１５の各々は、同一の光透過率を有していた。しかし、複数の下仕切り板１５の各々は、光透過率が異なっていても良い。同様に、第２および第３実施形態における複数のフリップ４１Ａおよび４１Ｂの各々は、光透過率が同一であっても良いし異なっていても良い。また、第４および第５実施形態における遮光板１Ｃ２および１Ｄ２は、その全体が同一の光透過率であっても良いし、その一部が他の部分と異なる光透過率であっても良い。
【００６７】
（７）上記第４および第５実施形態では、光透過率の異なる複数種の遮光板１Ｃ２および１Ｄ２を用意していた。しかし、デザイン（例えば、模様や色など）の異なる複数種の板を用意し、その複数種の板の中からユーザが選択した１の板をスリットに挿入するようにしても良い。この態様では、音響構造体をインテリアの１つとすることができる。
【００６８】
（８）上記第１実施形態では、会議室外から会議室内に入射される光の量を多くする場合、上仕切り板１４および上板１１をたたんでいた。しかし、この場合、上仕切り板１４および上板１１は、必ずしもたたむ必要はない。上仕切り板１４および上板１１をたたまなくても音響構造体１を透過する光の量は、上仕切り板１４および上板１１をたたんだ場合と変わらないからである。
【００６９】
（９）上記各実施形態の音響構造体１〜１Ｄは、片側開管のパイプを向かい合わせたものであった。しかし、音響構造体を透過する光の量を調整する手段を有する音響構造体は、片側開管のパイプを向い合せたものに限られない。例えば、片側開管のパイプを並べたものに本発明の技術的特徴を付加しても良い。また、例えば、ヘルムホルツ共鳴器に本発明の技術的特徴を付加しても良い。
【００７０】
（１０）上記各実施形態による音響構造体１〜１Ｄは、パイプの長手方向が縦方向となるように音響空間内に設置されても良いし、パイプの長手方向が横方向となるように音響空間内に設置されても良い。
【符号の説明】
【００７１】
１，１Ａ，１Ｂ，１Ｃ，１Ｄ…音響構造体、１１…上板、１２…下板、１３…中板、１４…上仕切り板、１５…下仕切り板、１６，１７，３３Ａ，３４Ａ，３３Ｂ，３４Ｂ，３３Ｃ，３４Ｃ，３３Ｄ，３４Ｄ…側板、２１，２３，３１Ａ，３１Ｃ，３１Ｄ…パイプ、２２，２４，３２Ａ…空洞、２５，２６，３５Ａ，３５Ｄ，３７Ｂ，５２Ｃ，５２Ｄ，５３Ｄ…開口部、４１Ａ，４１Ｂ…フリップ、４３Ａ，４４Ａ…軸部、４５Ａ…レバー、５１Ｃ，５１Ｄ…スリット、１Ｃ１，１Ｄ１…本体、１Ｃ２，１Ｄ２…遮光板。
【図１】
2015178717.tif 000003
【図２】
2015178717.tif 000004
【図３】
2015178717.tif 000005
【図４】
2015178717.tif 000006
【図５】
2015178717.tif 000007
【図６】
2015178717.tif 000008
【図７】
2015178717.tif 000009
【図８】
2015178717.tif 000010
【図９】
2015178717.tif 000011